(57)【要約】  【課題】  環状カッタによる切削の際に生じるチップを確実に破断するためのチップブレーカを提供する。  【解決手段】    環状カッタの回転方向の上流側に面し、該環状カッタの外周面に隣接するエッジ２４から環状カッタの半径方向外側に延びる面２６を有し、エッジが環状カッタの外周面に微小間隙をあけて位置する第1端部２７から、該第１端部よりも被穿孔物表面近くに位置し、環状カッタの外周面から第１端部よりも大きく離れた第2端部２８に向けて傾斜している。【選択図】図３
2006043860.tif 000002
【特許請求の範囲】
【請求項１】
穿孔作業が行われる環状カッタの外周面に隣接され、穿孔作業を行う環状カッタのフルートを通して環状カッタの刃先から被穿孔物表面上に出てくるチップを破断するための環状カッタ用チップブレーカであって、
環状カッタの回転方向の上流側に面し、該環状カッタの外周面に隣接するエッジから環状カッタの半径方向外側に延びる面を有し、
上記エッジが環状カッタの外周面に微小間隙をあけて位置する第1端部から、該第１端部よりも被穿孔物表面近くに位置し、環状カッタの外周面から第１端部よりも大きく離れた第2端部に向けて傾斜していることを特徴とする環状カッタ用チップブレーカ。
【請求項２】
上記エッジが、環状カッタの外周面の回転中心軸線に平行な輪郭線に対して５°〜３０°の角度で傾斜していることを特徴とする請求項１に記載の環状カッタ用チップブレーカ。  
【請求項３】
上記エッジが、環状カッタの外周面の回転中心軸線に平行な輪郭線に対して約１０°の角度で傾斜していることを特徴とする請求項１に記載の環状カッタ用チップブレーカ。
【請求項４】
上記エッジと、該エッジから環状カッタの回転方向下流側に延びる面との間に９０°以下の刃先角を有することを特徴とする請求項１乃至３のいずれかに記載の環状カッタ用チップブレーカ。
【発明の詳細な説明】
【技術分野】
【０００１】
本発明は、環状カッタにより穿孔作業を行うときに環状カッタの先端の切削歯から環状カッタの外周面に設けられたフルート（すなわち、チップ排出用溝）を通して被穿孔物の表面上に延びてくる切削チップを破断して、該チップが環状カッタに巻きつかないようにするための環状カッタ用チップブレーカに関する。
【背景技術】
【０００２】
環状カッタは、筒状のカッタ本体の先端に切削歯が設けられ、該カッタ本体の中心軸線を中心に回転駆動されることにより、穿孔作業を行うものである。
カッタ本体の外周面には、捩れをもって上記回転中心軸線方向に延びるチップ排出用溝すなわちフルートが設けられ、切削歯によって切削されたチップは該フルートを通して被穿孔物の表面上まで延びてくるようになっている。このチップをそのままの状態にしておくと、環状カッタの周囲に巻きつき、穿孔作業を阻害することになる。このため、被穿孔物の表面上に延びてきたチップを破断するチップブレーカが種々開発されてきている（例えば、特許文献１及び２を参照）。
【特許文献１】実開昭６２−１５４０８
【特許文献２】実公昭４−２７６０
【発明の開示】
【発明が解決しようとする課題】
【０００３】
これらのチップブレーカは、環状カッタの外周面に隣接して設定され、回転中心軸線と平行をなす該環状カッタ外周面の輪郭線に平行なエッジを有し、被穿孔物の表面に延びてくるチップは該エッジに係合し、回転する環状カッタの外周面とエッジとの間において破断されるようになっている。しかし、そのような従来の環状カッタ用チップブレーカでは、チップがエッジから外れやすく（すなわち、チップが、エッジに沿って上方へ動き、該エッジを越えてしまいやすく）、このため適正な破断が行われない、という問題を有していた。
【課題を解決するための手段】
【０００４】
本発明は、このような点に鑑み、より効果的にチップを破断することが出来る環状カッタ用チップブレーカを提供することを目的とするものである。
すなわち、本発明は、穿孔作業が行われる環状カッタの外周面に隣接され、穿孔作業を行う環状カッタのフルートを通して環状カッタの刃先から上記被穿孔物表面上に出てくるチップを破断するための環状カッタ用チップブレーカであって、
環状カッタの回転方向の上流側に面し、該環状カッタの外周面に隣接するエッジから環状カッタの半径方向外側に延びる面を有し、
上記エッジが環状カッタの外周面に微小間隙をあけて位置する第1端部から、該第１端部よりも被穿孔物表面近くに位置し、環状カッタの外周面から第１端部よりも大きく離れた第2端部に向けて傾斜していることを特徴とする環状カッタ用チップブレーカを提供する。
【０００５】
この環状カッタ用チップブレーカにおいては、エッジが上記のように傾斜しているため、被穿孔物表面上に延びてきて環状カッタの半径方向外側に広がり該エッジに係合するチップに対し、下向きに抑える力が働き、環状カッタの回転があってもチップが該エッジから外れるのを防ぎ、よって、回転する環状カッタのフルートと共に回転しようとする該チップを確実に破断することが出来る。
【０００６】
具体的には、エッジは、環状カッタの外周面の回転中心軸線に平行な輪郭線に対して５°〜３０°の角度で、好ましくは、約１０°の角度で傾斜するようにされる。上記角度範囲以外の角度をつけた場合には効率的な破断ができず、約１０°程度が最も確実にチップの破断を行うことができる。
【０００７】
更に好ましくは、上記エッジと、該エッジから環状カッタの回転方向下流側に延びる面との間に９０°以下の刃先角を形成するようにすることが好ましい。
【発明を実施するための最良の形態】
【０００８】
以下、本発明に係る環状カッタ用チップブレーカの実施形態を添付図面に基づき説明する。図１及び図２は、本発明のチップブレーカ１０が取り付けられた環状カッタ穿孔装置１２を示している。
【０００９】
図示のように、該環状カッタ穿孔装置１２は、鋼板などの被穿孔物Ｗに当該装置１２を電磁石で固定するための電磁ベース１４を備える本体１６と、本体１６に設けられた回転ハンドル１８を回すことによって、該本体１６に対して上下方向に変位可能に取り付けられたモータ２０と、該モータの垂直に設定された出力軸（図示せず）に連結されて回転される環状カッタ２２とを有している。
【００１０】
チップブレーカ１０は、電磁ベース１４の側部で環状カッタ２２に隣接するようにして、本体１６に固定される。図示のように、該チップブレーカ１０は、旋盤のバイトに類似した形状を有しており、図３及び図４に示すように、環状カッタ２２の回転方向の上流側に面し、該環状カッタ２２の外周面に隣接するエッジ２４から環状カッタの半径方向外側に延びる面２６を有している。図示の例では、該面２６は、環状カッタ２２の回転中心軸線から延びる半径に沿って設けられている。
【００１１】
エッジ２４は、環状カッタ２２の外周面に微小間隙（すなわち、環状カッタ２２が穿孔作業にともなって振動しても、該環状カッタ２２との接触が起こらない程度の間隙）をあけて位置する第1端部２７から、該第１端部２７よりも被穿孔物Ｗ表面近くに位置し、環状カッタの外周面から第１端部よりも大きく離れた第2端部２８に向けて傾斜している。エッジ２４は、環状カッタ２２の外周面の回転中心軸線に平行な輪郭線２２−１に対して５°〜３０°の角度、好ましくは、約１０°の角度で傾斜するようにされる。
また、エッジ２４から環状カッタ２２の回転方向下流側に延びる面３０を有し、該面は面２６との間に９０°以下の刃先角を形成するようにされている。
【００１２】
穿孔作業においては、環状カッタ２２の先端の切削歯２２−２によって切削されるチップＣは、環状カッタ２２の外周面に形成されているフルート２２−３を通して被穿孔物Ｗ表面に出てきて、該表面上で環状カッタ２２の半径方向外側に広がる。環状カッタ２２は回転されているので、該チップＣはエッジ２４に係合され、該エッジによって上方へ変位するのを抑えられ、環状カッタ２２の回転に伴って破断される。
【００１３】
本発明に係る環状カッタ用チップブレーカは、被穿孔物の表面にほぼ接するように設定されるが、環状カッタの回転中心軸線方向で変位可能に固定することも出来る。すなわち、チップが当該チップブレーカのエッジを越えないようにするために、必要に応じ、エッジを被穿孔物の表面からより離れた位置に設定することを可能とするものである。または、チップブレーカは本体に固定したものとし、エッジの高さ自体を高いものにすることにより同様の効果を奏することが出来る。
また、図示の実施形態では、図４に示すようにチップブレーカの半径方向外側に延びる面を、環状カッタの半径に沿って配置しているが、該半径に対して角度をつけて設定することもできる。
【図面の簡単な説明】
【００１４】
【図１】本発明に係る環状カッタ用チップブレーカを備えた穿孔装置の側面図である。
【図２】同穿孔装置の正面図である。
【図３】穿孔作業を行っている環状カッタに対する配置を示すため環状カッタをその回転中心軸線を含む面に沿って見た図である。
【図４】図３のIV-IV線断面図である。
【符号の説明】
【００１５】
１０        チップブレーカ
１２        環状カッタ穿孔装置
１４        電磁ベース
１６        本体
１８        回転ハンドル
２０        モータ
２２        環状カッタ
２２−１    輪郭線
２２−２    切削歯
２２−３    フルート
２４        エッジ
２６、３０  面
２７        第１端部
２８        第２端部
Ｃ          チップ
Ｗ          被穿孔物
【図１】
2006043860.tif 000003
【図２】
2006043860.tif 000004
【図３】
2006043860.tif 000005
【図４】
2006043860.tif 000006
【手続補正書】
【提出日】平成17年6月24日(2005.6.24)
【手続補正１】
【補正対象書類名】特許請求の範囲
【補正対象項目名】請求項１
【補正方法】変更
【補正の内容】
【請求項１】
穿孔作業が行われる環状カッタの外周面に隣接され、穿孔作業を行う環状カッタのフルートを通して環状カッタの刃先から被穿孔物表面上に出てくるチップを破断するための環状カッタ用チップブレーカであって、
該環状カッタの外周面に隣接するエッジから環状カッタの半径方向外側に延び、且つ、環状カッタの回転方向の上流側に面する面を有し、
上記エッジが環状カッタの外周面に微小間隙をあけて位置する第1端部から、該第１端部よりも被穿孔物表面近くに位置し、環状カッタの外周面から第１端部よりも大きく離れた第２端部に向けて傾斜していることを特徴とする環状カッタ用チップブレーカ。
【手続補正２】
【補正対象書類名】明細書
【補正対象項目名】０００４
【補正方法】変更
【補正の内容】
【０００４】
本発明は、このような点に鑑み、より効果的にチップを破断することが出来る環状カッタ用チップブレーカを提供することを目的とするものである。
すなわち、本発明は、穿孔作業が行われる環状カッタの外周面に隣接され、穿孔作業を行う環状カッタのフルートを通して環状カッタの刃先から上記被穿孔物表面上に出てくるチップを破断するための環状カッタ用チップブレーカであって、
該環状カッタの外周面に隣接するエッジから環状カッタの半径方向外側に延び、且つ、環状カッタの回転方向の上流側に面する面を有し、
上記エッジが環状カッタの外周面に微小間隙をあけて位置する第1端部から、該第１端部よりも被穿孔物表面近くに位置し、環状カッタの外周面から第１端部よりも大きく離れた第２端部に向けて傾斜していることを特徴とする環状カッタ用チップブレーカを提供する。
【手続補正３】
【補正対象書類名】明細書
【補正対象項目名】０００９
【補正方法】変更
【補正の内容】
【０００９】
図示のように、該環状カッタ穿孔装置１２は、鋼板などの被穿孔物Ｗに当該装置１２を電磁石で固定するための電磁ベース１４を備える本体１６と、本体に設けられた回転ハンドル１８を回すことによって、該本体に対して上下方向に変位可能に取り付けられたモータ２０と、該モータにより回転駆動されるアーバー２１に連結されて回転される環状カッタ２２とを有している。
【手続補正４】
【補正対象書類名】明細書
【補正対象項目名】００１０
【補正方法】変更
【補正の内容】
【００１０】
チップブレーカ１０は、電磁ベース１４の側部で環状カッタ２２に隣接するようにして、本体１６に固定される。図示のように、該チップブレーカ１０は、旋盤のバイトに類似した形状を有しており、図３及び図４に示すように、該環状カッタ２２の外周面に隣接するエッジ２４から環状カッタの半径方向外側に延び、且つ、環状カッタ２２の回転方向の上流側に面する面２６を有している。図示の例では、該面２６は、環状カッタ２２の回転中心軸線から延びる半径に沿って設けられている。
【手続補正５】
【補正対象書類名】明細書
【補正対象項目名】００１３
【補正方法】変更
【補正の内容】
【００１３】
図示の例では、環状カッタ用チップブレーカは、被穿孔物の表面にほぼ接するように設定されているが、環状カッタの回転中心軸線方向で変位可能にすることも出来る。すなわち、チップが当該チップブレーカのエッジを越えないようにするために、必要に応じ、エッジを被穿孔物の表面からより離れた位置に設定することを可能とするものである。または、チップブレーカは本体に固定したものとし、エッジの（図で見て）垂直方向での長さ自体を長いものにすることにより同様の効果を奏することが出来る。
また、図示の実施形態では、図４に示すようにチップブレーカの半径方向外側に延びる面を、環状カッタの半径に沿って配置しているが、該半径に対して角度をつけて設定することもできる。
【手続補正６】
【補正対象書類名】図面
【補正対象項目名】図１
【補正方法】変更
【補正の内容】
【図１】
2006043860.tif 000007
【手続補正７】
【補正対象書類名】図面
【補正対象項目名】図２
【補正方法】変更
【補正の内容】
【図２】
2006043860.tif 000008
【手続補正書】
【提出日】平成17年7月28日(2005.7.28)
【手続補正１】
【補正対象書類名】図面
【補正対象項目名】図１
【補正方法】変更
【補正の内容】
【図１】
2006043860.tif 000009
【手続補正２】
【補正対象書類名】図面
【補正対象項目名】図２
【補正方法】変更
【補正の内容】
【図２】
2006043860.tif 000010